(57)【要約】【課題】省エネルギーで、効率よく部屋を暖めることのできる床暖房システムを提供する。【解決手段】室内の床に敷設したマット内の管路に温水を循環させて熱を供給する床暖房システムにおいて、マット内管路の入り側、及び出側、並びに床、及び室内所定個所のうちの、少なくとも一箇所の温度を感知する温度感知手段と、温水の温度を制御する温度制御手段と、温水の流量を制御する流量制御手段とを具備し、温度制御手段は温水の温度を、流量制御手段は温水の流量を、温度感知手段からの情報に基づいてそれぞれ連続的に制御する。【選択図】      図１
2005009701.tif 000002
【特許請求の範囲】
【請求項１】
室内の床に敷設したマット内の管路に温水を循環させて熱を供給する床暖房システムであって、
前記マット内管路の入り側、及び出側、並びに前記床、及び室内所定個所のうちの、少なくとも一箇所の温度を感知する温度感知手段と、前記温水の温度を制御する温度制御手段と、前記温水の流量を制御する流量制御手段と、を具備し、
前記温度制御手段は前記温水の温度を、前記流量制御手段は前記温水の流量を、前記温度感知手段からの情報に基づいてそれぞれ連続的に制御することを特徴とする床暖房システム。
【請求項２】
前記管路に循環される温水は、主としてガス、ヒートポンプ、液体燃料、又は電気、のうちのいずれか又は複数のものにより昇温されることを特徴とする請求項１に記載の床暖房システム。
【請求項３】
コジェネレーション、又は燃料電池からの熱を前記管路に循環される温水の熱源とする請求項１に記載の床暖房システム。
【請求項４】
貯湯タンクと熱交換器とを備え、前記熱交換器は前記貯湯タンク内の温水と前記管路に循環される温水との熱交換を行うことを特徴とする請求項１に記載の床暖房システム。
【請求項５】
前記貯湯タンク内に貯湯される温水は、主としてガス、ヒートポンプ、液体燃料、又は電気、のうちのいずれか又は複数のものにより昇温されることを特徴とする請求項４に記載の床暖房システム。
【請求項６】
コジェネレーション、又は燃料電池からの熱を前記貯湯タンク内の温水の熱源とすることを特徴とする請求項４に記載の床暖房システム。
【請求項７】
前記温度制御手段として、複数の熱交換器を備えることを特徴とする請求項１〜６のいずれかに記載の床暖房システム。
【請求項８】
前記温度制御手段は、前記管路に循環される温水と冷水とを混合する混合器であることを特徴とする請求項１〜６のいずれかに記載の床暖房システム。
【請求項９】
前記流量制御手段は、可変流量ポンプであることを特徴とする請求項１〜８のいずれかに記載の床暖房システム。
【請求項１０】
前記流量制御手段は、前記温度感知手段の感知する温度に応じて開度が変化する流路開閉装置であることを特徴とする請求項１〜８のいずれかに記載の床暖房システム。
【請求項１１】
定常状態において、前記マットの面積をＸ（ｍ２）、前記管路に循環される温水の流量をＹ（Ｌ／分）とした場合、Ｙ＞０．１Ｘ＋１となる流量で３０〜５０℃の温水を前記マット内の管路に供給することを特徴とする請求項１〜１０のいずれかに記載の床暖房システム。
【請求項１２】
運転開始後１０〜９０分の間に、Ｙ＜０．１Ｘ＋０．１となる流量で７５℃〜９５℃の温水を前記マット内の管路に供給し、その後、前記定常状態の運転に切り替えることを特徴とする請求項１１に記載の床暖房システム。
【発明の詳細な説明】
【０００１】
【発明の属する技術分野】
本発明は、温水を循環させて室内に熱を供給する床暖房システムに関する。
【０００２】
【従来の技術】
温水式床暖房においては、熱源機から６０℃または８０℃の温水が往きの温水管路を通して各部屋の床に敷設されている温水循環管路に送られる。循環管路内を循環した温水は、戻りの管路を通って熱源機に戻る。床暖房では管路中の温水の熱が奪われて（放熱して）床を温めており、戻りの管路内の温水は、往きの管路内の温水よりも温度が低くなる。
【０００３】
床暖房においては、室温センサを備えたものと、備えていないものがある。室温センサを備えたものは、検出された室温と使用者の設定温度との差に応じて温水循環割合（所定時間内の温水供給時間と停止状態の割合）をいわゆる「オン／オフ制御」により行っている。すなわち、室温が設定温度よりも低いときは、温水を継続して循環させ、室温が高いときには温水の循環を一時停止させる。室温センサを備えていないものは、実際の室温に関係なく、設定温度に応じた固定の温水循環割合を繰り返す。また、床温センサを備えた床暖房もある。この場合は、床温度が設定温度となるように温水循環割合を制御する。このオン／オフ制御による床暖房システムの、温度と流量の一方を制御する試みは多く行われている。例えば、特許文献１には、温度を制御する床暖房装置が開示されており、特許文献１、特許文献２には流量を制御する床暖房装置が開示されている。
【特許文献１】
特開平７−１９５０２号公報
【特許文献２】
特開平１０−２２０７８４号公報
【０００４】
【発明が解決しようとする課題】
通常、熱源機から８０℃または６０℃の高い温水を供給するので、熱源機から部屋へ給水管で導入するとき、多くの場合は距離があるので、断熱材でパイプを断熱しようとしてもどうしても部屋へ導入する前に熱が外気や室温との温度差が大きいために失われてしまう。温水循環割合を変えるとき、部屋が暖まってきた場合は温水の停止状態の方が長く、このため再度動かすときには部屋にパイプ内で冷え切った水が部屋の中に入ってきてしまい部屋から更に熱を奪うという問題があった。
【０００５】
また、ヒートポンプで高い温度の温水を作り出すには効率が著しく下がってしまう。今後、コジェネレーションや燃料電池などの廃熱を利用するにあたっては、５０℃以下の低温度の温水による床暖房利用が省エネルギーのために重要と考えられる。しかしながら、現在の床暖房のシステムは６０℃以上の温水を利用するのが前提である。これは熱源機の性能が非常に高い場合に有効であるが、そのため必要以上の熱量を発生させてしまうことも多く、ここでのエネルギーロスも無視できない問題である。
【０００６】
また省エネルギータイプの熱源機では発生熱量が限られており、戻り温水が低い温度の場合、往き温水温度を十分に高い温度にすることができない。すなわち、床暖房初期の部屋が冷え切っている場合には、部屋の中の熱伝導を促進するために安定するまで高い温度の温水を入れた方がよいのであるが、これを達成することができない。さらに、温度のみを制御しても、流量をオン／オフ制御している以上、上記エネルギーロスの問題は、依然として残ったままである。また、戻り温水温度等に応じて流量を制御する場合には、上記問題は解決されるが、室内温度が十分高い場合でも不必要に高温の温水が流れ続けることになり、エネルギーの無駄になってしまう。
【０００７】
そこで、本発明は、省エネルギーで、効率よく部屋を暖めることのできる床暖房システムを提供することを課題とする。
【０００８】
【課題を解決するための手段】
以上のことを踏まえ、本願発明者は省エネルギーのためには、低い温度で温水を循環させる床暖房システムが有効であることを見出し、かかる知見に基づいて本発明を完成するに至った。具体的には必要な熱量を、できるだけ低い温度の温水で部屋に導入して、できるだけ温水循環の停止がないようにして配管ロスを低減する。また床暖房初期にはどうしても高い温水を部屋に導入する必要があるが、その場合は流量を少なくすることで高い温水温度を得る。室温センサや床温センサを見ながら熱源機の発生熱量、流量を制御することで、往き温水温度と流量との最適化をはかるのである。
【０００９】
かくして、請求項１の発明は、室内の床に敷設したマット内の管路に温水を循環させて熱を供給する床暖房システムであって、マット内管路の入り側、及び出側、並びに床、及び室内所定個所のうちの、少なくとも一箇所の温度を感知する温度感知手段と、温水の温度を制御する温度制御手段と、温水の流量を制御する流量制御手段とを具備し、温度制御手段は温水の温度を、流量制御手段は温水の流量を、温度感知手段からの情報に基づいてそれぞれ連続的に制御することを特徴とする床暖房システムにより前記課題を解決しようとするものである。
【００１０】
このように温水の温度及び流量を連続的に制御するようにすれば、そのときの室温、床温、と目標とする室温との差に応じて最も省エネルギーとなる温度、流量の設定が可能となる。
【００１１】
請求項２の発明は、請求項１に記載の床暖房システムにおいて、管路に循環される温水は、主としてガス、ヒートポンプ、液体燃料、又は電気、のうちのいずれか又は複数のものにより昇温されることを特徴とするものである。
【００１２】
請求項３の発明は、請求項１に記載の床暖房システムにおいて、コジェネレーション、又は燃料電池からの熱を管路に循環される温水の熱源とするものである。
【００１３】
上記請求項２及び３の発明にかかる床暖房システムは、循環温水の熱源として様々な種類のエネルギー源を利用することが可能であるが、省エネルギーの趣旨を全うするという観点からは、循環温水をヒートポンプにより昇温し、あるいはコジェネレーション、又は燃料電池からの熱を熱源とすることが好ましい。
【００１４】
請求項４の発明は、請求項１に記載の床暖房システムにおいて、貯湯タンクと熱交換器とを備え、熱交換器は貯湯タンク内の温水と管路に循環される温水との熱交換を行うことを特徴とするものである。
【００１５】
請求項４の発明では、貯湯タンクの温水と、床暖房に使用する温水とは別系統になっており、貯湯タンク内に昇温した温水を貯蔵し、この温水の熱を、熱交換器を通じて床暖房に使用される温水の系統に伝熱する。このような構成をとった場合、安価な夜間電力を使用して温水を夜間に集中して貯蔵することができる。特にヒートポンプを夜間に集中して稼動させることにより、安価なエネルギーコストを享受することができる。また、この構成によれば、短時間内に高温度の温水を作ることができない熱源であっても、時間をかけることにより、比較的多量の高温度の温水を容易に得ることができる。
【００１６】
請求項５に記載の発明は、請求項４に記載の床暖房システムにおいて、貯湯タンク内に貯湯される温水は、主としてガス、ヒートポンプ、液体燃料、又は電気、のうちのいずれか又は複数のものにより昇温されることを特徴とするものである。
【００１７】
請求項６に記載の発明は、請求項４に記載の床暖房システムにおいて、コジェネレーション、又は燃料電池からの熱を貯湯タンク内の温水の熱源とすることを特徴とするものである。
【００１８】
上記請求項５及び６の発明にかかる床暖房システムは、貯湯タンク内温水の熱源として様々な種類のエネルギー源を利用することが可能である。上記請求項２及び３の発明にかかる床暖房システムの場合と同様に、省エネルギーの趣旨を全うするという観点からは、貯湯タンク内の温水をヒートポンプにより昇温し、あるいはコジェネレーション、又は燃料電池からの熱を熱源とすることが好ましい。
【００１９】
請求項７の発明は、請求項１〜６のいずれかに記載の床暖房システムにおいて、温度制御手段として、複数の熱交換器を備えることを特徴とするものである。
【００２０】
このように複数の熱交換器を備えて、各熱交換器の使用／不使用を制御して、マット内の管路に循環される温水の温度を連続的に制御することが可能となる。
【００２１】
請求項８の発明は、請求項１〜６のいずれかに記載の床暖房システムにおいて、温度制御手段は、前記管路に循環される温水と冷水とを混合する混合器であることを特徴とする。
【００２２】
このような構成をとっても、循環温水の温度を連続的に制御することが可能である。正確な制御を図るため、冷水温度を感知する冷水温度感知手段をあわせて設けておくことが望ましい。
【００２３】
請求項９の発明は、請求項１〜８のいずれかに記載の床暖房システムにおいて、流量制御手段は、可変流量ポンプであることを特徴とする。
【００２４】
このように構成した場合には、温度感知手段が感知した室温等の情報に基づいて、最も適量の温水を制御して流路内に流通させることができる。
【００２５】
請求項１０の発明は、請求項１〜８のいずれかに記載の床暖房システムにおいて、流量制御手段は、温度感知手段の感知する温度に応じて開度が変化する流路開閉装置であることを特徴とする。
【００２６】
かかる構成においては、流路開閉装置の開度の制御は、温度感知手段の感知する温度の情報に応じて、別途制御装置を備えて、あらかじめ定められたプログラムにより開度を決定して、又はテーブルから開度に関する情報を読み出して、前記制御装置より開閉装置のアクチュエータに対し動作命令を発するようにしても良いし、特開平１０−２２０７８４に開示されているサーモ式自動流量調節装置のように、それ自体が温度に応じて比例的に動作するものによっても良い。
【００２７】
請求項１１の発明は、請求項１〜１０のいずれかに記載の床暖房システムにおいて、定常状態において、マットの面積をＸ（ｍ２）、管路に循環される温水の流量をＹ（Ｌ／分）とした場合、Ｙ＞０．１Ｘ＋１となる流量で３０〜５０℃の温水をマット内の管路に供給することを特徴とするものである。このように比較的低温度に設定された温水を多量にマット内の管路に循環させることにより、省エネルギーを図りつつ、快適な暖房効果を得ることが可能となる。かかる構成を備えた床暖房システムは、特に長期にわたり床暖房を連続稼動させておく寒冷地（例えば北海道地区やカナダ北欧等の極寒地）において意義を持つものである。
【００２８】
請求項１２の発明は、請求項１１に記載の床暖房システムにおいて、運転開始後１０〜９０分の間に、Ｙ＜０．１Ｘ＋０．１となる流量で７５℃〜９５℃の温水をマット内の管路に供給し、その後、定常状態の運転に切り替えることを特徴とする。
【００２９】
このように構成すれば、運転開始時に比較的高温度の温水を低流量にてマット内の管路に循環させて暖房開始初期の室内に高温部と低温部とを設けることにより温度勾配を発生させて、少量の熱量により使用者に暖房感を与えることができる。またその後の定常状態においては比較的低温度に設定された温水を多量にマット内の管路に循環させることにより、省エネルギーを図りつつ、快適な暖房効果を得ることが可能となる。かかる構成を備えた床暖房システムは、日常的にシステムのオン／オフを繰り返すような地域において意義をもつものである。
【００３０】
本発明のこのような作用及び利得は、次に説明する実施の形態から明らかにされる。
【００３１】
【発明の実施の形態】
以下本発明の床暖房システムを、当該システムを構成する要素に分けて説明する。
【００３２】
＜基本構成＞
図１は、本発明の床暖房システムの基本構成を概略的に示す図である。この床暖房システム１００において、熱源１０１にて所定温度に昇温された温水は、往き配管１０２を介して室内１３０に設置されたマット１０５内の配管１０５ａに供給される。室内に放熱後、温度の低下した温水は戻り配管１０６を通じて熱源１０１に戻され、再加熱されて再び上記循環に供される。以下においては、これら往き配管１０２、マット内配管１０５ａ、及び戻り配管１０６で構成される温水の回路を「閉鎖循環回路」という。往き配管１０２には、後に説明する制御装置１１０からの命令を受けて温水の温度を連続的に変化させる温度制御器１０３と、温水の流量を連続的に変化させる流量制御器１０４とが設けられている。
【００３３】
＜制御装置＞
本床暖房システム１００の全体の動作は制御装置１１０により制御されている。制御装置１１０には、床暖房システム１００の各部の動作制御を実行するＣＰＵ１１１と、そのＣＰＵ１１１に対する記憶装置とが設けられている。ＣＰＵ１１１は、マイクロプロセッサユニットおよびその動作に必要な各種の周辺回路を組合せて構成されている。記憶装置は、例えば床暖房システム１００の動作制御に必要なプログラムや各種のデータを記憶するＲＯＭ１１２と、ＣＰＵ１１１の作業領域として機能するＲＡＭ１１３とを組合せて構成されている。そして、ＣＰＵ１１１がＲＯＭ１１２に記憶されたソフトウエアと組み合わされることにより、本発明の床暖房システム１００の制御装置として機能する。
【００３４】
ＣＰＵ１１１には入力ポート１１５を介して入力信号として、往き配管温水温度センサ１２２、床温度センサ１２３、室温センサ１２４、及び入力装置１３０からの出力信号が導かれる。また、ＣＰＵ１１１には、タイマ１１４から時間に関する情報も導かれている。入力装置１３０は、本床暖房システム１００の使用者が、希望する室内温度を設定するための装置である。ＣＰＵ１１１は、上述した各種の入力要素からの信号、及びＲＯＭ１１２に記憶されたプログラムに基づいて、出力ポート１１６を介してアクチュエータとしての温度制御器１０３と、流量制御器１０４とに対する動作指令を制御する。温度制御器１０３と、流量制御器１０４とはＣＰＵ１１１から与えられた動作指令に応じて、往き配管１０２中に流通される温水の温度及び流量を連続的に制御する。
【００３５】
＜温水供給手段及び熱源＞
本床暖房システムにおいて使用される温水は、基本的に閉鎖循環回路中に繰り返し循環されて使用される。室内１３０にて放熱され、温度低下した温水は戻り配管１０６により熱源（機）１０１に戻される。本発明において、循環する温水の温度を所定に保つ熱源としては特に限定されるものではなく、ガス、石油、電気等通常温水を生成するために使用されているものを使用することができる。また、省エネルギーの観点からは、ヒートポンプや、他のシステム、例えばコジェネレーション、燃料電池などから出される排熱や、工場の余剰スチーム等を利用することが好ましい。
【００３６】
さらに、貯湯タンクと熱交換器とを設け、この貯湯タンクに所定の温度に昇温した温水を貯蔵するとともに、この温水を、熱交換器を介して上記閉鎖循環回路に循環される温水との熱交換に供してもよい。通常ヒートポンプや、電気のヒーターを利用して温水を作る場合、短時間内には高温の温水を得ることが困難であるが、このように貯湯タンクを設けることによって、高温の温水を容易に得ることが可能となる。また、低料金の夜間電力を利用しやすい。
【００３７】
コジェネレーションや燃料電池の排熱を利用する場合、例えば特開２００２−３６４９１７号公報に開示されているような専用のシステムを設けてもよいし、特開２００１−３４３１３２号公報に開示されているような排熱回収用熱交換器を利用するように構成してもよい。
【００３８】
＜温度センサ＞
本発明に使用される温度センサは、通常の住環境の温度範囲、及び温水の温度変化範囲をカバーする例えば、−３０℃〜１００℃の範囲を測定可能なものなら特に限定されない。特にサーミスタ等、安価で超寿命の温度センサを好ましく使用することができる。温度センサを設置する位置は、必要に応じて、往き配管１０２のマット１０５にいたる直前の位置、マット１０５から戻り配管に接続される位置、床面、室内所定高さの位置などのうちから１箇所以上、好ましくは２箇所以上を選定することが望ましい。これらの温度センサからの出力信号は、制御装置１１０の入力ポート１１５を介してＣＰＵ１１１へと伝えられる。温度を感知する位置の数が多いほど、よりきめ細かな暖房の制御が可能となる。
【００３９】
＜温度制御器＞
閉鎖循環回路中を循環される温水温度を連続的に制御するには、
１．高温温水と低温温水との混合
２．熱交換器を複数設けて、各交換器のＯＮ／ＯＦＦを制御する。
３．熱交換器における熱供給側の温水流量、および受熱側の温水流量のうち、少なくとも一つを制御する。
等の方法により実現することが可能である。
【００４０】
例えば、高温の温水に低温の冷水を混合することにより実現する場合、具体的には、低温の冷水を供給する手段を別途設け、閉鎖循環回路中の温水が目標温度となるようにポンプにより温水と所定量混合する。ポンプの動作は制御装置１１０により制御される。混合された温水の温度は温度センサ１２２により制御装置１１０にフィードバックされ、その情報に基づいてさらにポンプの動作制御を行う。冷水を混合することにより閉鎖循環回路中の温水量が増すので、回路中の温水量を所定に保つための排水手段を設ける必要がある。
【００４１】
また、貯湯タンクが設けられている場合には、上記混合する方法に代えて、熱交換器を複数設けて閉鎖循環回路中の温水温度を連続的に制御することも可能である。例えば、熱交換容量の比較的小さな熱交換器を複数設け、これら熱交換器の使用数を適宜変更することにより、閉鎖循環回路中の温水を所望の温度にすることが容易にできる。この場合、各熱交換器温水量がへの流路ごとにバルブを設け、そのバルブの開閉動作を制御装置１１０により制御する。熱交換された閉鎖循環回路中の温水温度は温度センサ１２２により制御装置１１０にフィードバックされ、その情報に基づいてさらに熱交換器の使用数を決定して上記各バルブの開閉動作制御を行う。
【００４２】
さらに、貯湯タンクと熱交換器とを各一基ずつ設け、熱の供給側、及び／又は熱の受け側の流量を制御することによっても閉鎖循環回路側の温水温度を連続的に制御することが可能である。
【００４３】
本発明において、特に定常状態において低温度の温水を使用するシステムを構成した場合、床暖房立ち上げ時に、比較的高温度の温水を閉鎖循環回路に流通させることが好ましく、かかる場合に上記温度制御器を設ける意義が大きい。
【００４４】
＜流量制御器＞
本発明における流量制御器１０４は、制御装置１１０により動作制御が可能なものであれば特に制限されるものではなく、例えば可変流量ポンプ、可変開度の流路開閉装置などを使用することが可能である。
【００４５】
＜第一実施形態＞
図２は本発明の第一実施形態にかかる床暖房システムの概略を示す図である。なお、図１において説明したものと同一の部材が使用されている場合には、同一参照符号を付してその説明は省略する。この床暖房システム２００は、熱源機としてガス給湯機２１０を使用している。ガス給湯機２１０は瞬間的に高温度の温水を供給することが可能であるので、本実施形態の床暖房システム２００には、貯湯タンクを設ける必要はない。ガス給湯機２１０にて所定温度に熱せられた温水は給湯機２１０内のポンプ（不図示）により閉鎖循環回路中に送り出される。
【００４６】
＜第二実施形態＞
図３は本発明の第二実施形態にかかる床暖房システムの概略を示す図である。なお、ここでも、図１において説明したものと同一の部材が使用されている場合には、同一参照符号を付してその説明は省略する。この床暖房システム３００は、熱源としてヒートポンプ３１０が使用されている。ヒートポンプ３１０は最も効率の高い条件にて稼働され、その間に貯湯タンク３２０内の温水に蓄熱が行われ、該温水が所定温度に保持される。所定温度に保持されている貯湯タンク３２０内の温水の熱は、熱交換器３３０を介して閉鎖循環回路中の温水に伝えられる。この熱交換の動作（具体的には貯湯タンク側のポンプ、及び閉鎖循環回路側のポンプの動作）は、ＣＰＵ１１１により制御される。この際に、各温度センサ１２１〜１２４からの入力信号を受信したＣＰＵ１１１は、ＲＯＭ１１２に書き込まれているプログラムに基づいて、省エネルギー、あるいは使用者の快適性の観点から最適化された動作信号を各ポンプに向けて発信する。
【００４７】
＜第三実施形態＞
図４は本発明の第三実施形態にかかる床暖房システムの概略を示す図である。なお、ここでも、図１において説明したものと同一の部材が使用されている場合には、同一参照符号を付してその説明は省略する。この床暖房システム４００は、コジェネレーションシステムからの排熱を利用するものである。コジェネレーションシステム４１０から排出される比較的低温の排熱は、排熱回収装置４２０によって回収され、回収された熱は貯湯タンク４３０内の温水温度の昇温に供される。第二実施形態の床暖房システム３００の場合と同様に、所定温度に保持されている貯湯タンク４３０内の温水の熱は、熱交換器４４０を介して閉鎖循環回路中の温水に伝えられる。またここでの温水温度の連続的な制御も可能とされている。
【００４８】
【実施例】
図５に示すように、５℃に維持した低温室に８畳の部屋を作成して、床面に２枚の温水マットをひいて（敷設率７０％）、所定温度の温水を循環して床暖房の実験をおこなった。この部屋は、三方が壁、一方が大きなサッシ窓で、カーテンにて仕切られている。部屋の外部はエアコンで５℃に設定した。室外にボイラを設置して、４０℃、４５℃、５０℃、５５℃、及び８０℃に設定した温水を流して時間とともに変化する下記▲１▼〜▲６▼の各部分の温度を測定した。温度の測定位置は図５においても以下のとおり丸数字で示されている。
▲１▼  往き温水温度
▲２▼  戻り温水温度
▲３▼  奥側床温度
▲４▼  窓側床温度
▲５▼  部屋温度（床上１５０ｃｍ）
▲６▼  外気温
【００４９】
温水の流量１．５Ｌ／分の条件で行った測定結果を図６及び図７に示す。これら実験を通して低い温水温度では最初は暖房感がなかなか得られないことがわかった。すなわち、４０℃、４５℃の温水では、暖房開始後２５０分を経過しても、部屋温度▲５▼は２０℃に達していない（図６上段、及び下段）。また、５０℃の温水では、暖房開始後２５０分を経過して、ようやく部屋温度▲５▼は２０℃に達した（図７上段）。５５℃の温水では、暖房開始約１６０分経過後に、部屋温度▲５▼は２０℃に達した（図７中段）。これに対して８０℃の温水では、暖房開始約８０分経過後に、部屋温度▲５▼は２０℃に達した（図７下段）。
【００５０】
発生熱量は変化させないヒーターの場合、流量を少なくすることで温水温度をあげることができる。したがって冷え切った部屋の中で発生熱量は同じにして、流量を変化させて往き温水温度をあげてみた。グラフの温度状態のみで、それを伝えるのは難しいが具体的には冷え切った部屋の中では温度の均一性よりも一部でも温度の高い部分が合った方が体感的に暖房感が得られた。快適な部屋温度、床温度にほど遠い場合には部屋の温度均一性を悪くしてでも、部屋の一部でも暖かくする必要があるようである。もっとも流量を下げきってしまうと今度は配管ロスが大きくなって逆効果となるので、これも最適な状態が存在する。部屋が一端暖まってしまうと、今度は高い温水温度を供給しなくてもいいので、できるだけ温水温度を下げて流量を上げて行けば配管ロスを少なくすることができると考えてしまいがちであるが、現実には床暖房は、往き温水温度が一定ならば流量と発生熱量の関係は、ある流量までは比例するがそれから先は一定の熱量しか発生しない。したがって流量が増えると戻り温水の温度も上がってくる。したがって熱源機の構造や性能にしたがって、熱量支配的か往き温水温度支配的かによって熱ロスの少ない最適な流量が定まってしまう。
【００５１】
以上、考えてきたように熱ロスの少ない床暖房を考慮するには、熱源機と床暖房配管、給水配管の構造を考えて、発生熱量もしくは往き温水温度、流量をコントロールすることが必要である。
【００５２】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う床暖房システムもまた本発明の技術的範囲に包含されるものとして理解されなければならない。
【００５３】
【発明の効果】
以上に説明したように、温水床暖房において、往き温水温度もしくは発生熱量と流量の制御により熱源機や床暖房配管の性能を最大にすることで省エネルギーでも快適な床暖房システムを構築することができる。
【図面の簡単な説明】
【図１】本発明の床暖房システムの基本構成を示す図である。
【図２】第一実施形態にかかる床暖房システムを示す図である。
【図３】第二実施形態にかかる床暖房システムを示す図である。
【図４】第三実施形態にかかる床暖房システムを示す図である。
【図５】床暖房システムの試験装置を示す図である。
【図６】室内各部の温度変化を時間の経過とともに示す図であり、上段は温水温度４０℃、下段は温水温度４５℃の結果を示す。
【図７】室内各部の温度変化を時間の経過とともに示す図であり、上段は温水温度５０℃、中段は５５℃、下段は温水温度８０℃の結果を示す。
【符号の説明】
１００、２００、３００、４００  床暖房システム
１０３  温度制御器（温度制御手段）
１０４  流量制御器（流量制御手段）
１０５  マット
１１０  制御装置
１２１、１２２、１２３、１２４  温度センサ（温度制御手段）
１３０  室
３１０  ヒートポンプ
３２０、４３０  熱交換器
３３０、４４０  貯湯タンク
４１０  コジェネレーションシステム
【図１】
2005009701.tif 000003
【図２】
2005009701.tif 000004
【図３】
2005009701.tif 000005
【図４】
2005009701.tif 000006
【図５】
2005009701.tif 000007
【図６】
2005009701.tif 000008
【図７】
2005009701.tif 000009